(57)【要約】【課題】花材を容易に挿して留めることができるとともに、倒れにくく安定した状態に維持することができる花留を提供する。【解決手段】垂直に貫通する中空部２が形成された筒状の重錘１と、中空部２内に装填された吸水性スポンジ３とからなり、重錘１に中空部２の底部に連通する通水路４が形成されている花留。【選択図】図１
0003127173.tif 000002
【実用新案登録請求の範囲】
【請求項１】
垂直に中空部が形成された重錘と、前記中空部内に装填された、花材を留める吸水性スポンジとからなり、前記重錘に前記中空部の底部に給水する通水路が形成されていることを特徴とする花留。
【請求項２】
中空部が垂直に貫通して形成され、重錘の底部に重錘の外側面から前記中空部の底部に連通する横方向の溝により通水路が形成されていることを特徴とする請求項１記載の花留。
【請求項３】
重錘を貫通することなく重錘内に底部が位置する中空部が垂直に形成され、重錘の外側面から中空部の底部に連通する横方向の孔により通水路が形成されていることを特徴とする請求項１記載の花留。
【請求項４】
重錘の外周に貯水部が一体に形成され、前記貯水部が前記中空部の底部に連通する横方向の溝あるいは孔により通水路が形成されていることを特徴とする請求項１記載の花留。
【考案の詳細な説明】
【技術分野】
【０００１】
本考案は、活け花で花材を留めるために使用される花留に関する。
【背景技術】
【０００２】
活け花では花を留める道具として剣山、七宝、発泡体などの花留が知られている。
【０００３】
図４は従来の各種の花留を示す斜視図である。
【０００４】
水盤を使った活け花に広く普及している剣山の一例を図４（ａ）に示す。金属製のベース１０に多数の金属製の針１１が植立され、この針に花材５の切り口を挿して留めるものである（特許文献１参照）。
【０００５】
図４（ｂ）に示す七宝は大きさの異なる孔１２に花材５の太さに応じて詰めもの１３などで留める花留である（特許文献２参照）。
【０００６】
また、七宝と同じく穴を利用するものとして、図４（ｃ）に示す素焼き１４の穴１５に花材５を差し込む花留が知られている（特許文献３参照）。
【０００７】
また、図４（ｄ）に示すように、澱粉類と天然樹脂を含む発泡体組成物の立方体１６に花材５を挿す花留も知られている（特許文献４）。
【特許文献１】実用新案登録第３１００９２４号公報
【特許文献２】特開平１０−２５７９４８号公報
【特許文献３】実開平６−５４２８号公報
【特許文献４】特開２００４−２２５０１０号公報
【考案の開示】
【考案が解決しようとする課題】
【０００８】
水盤を使った活け花には、必ず剣山が使われているが、剣山に留めるために花材の切り口を挿しやすいように加工する必要があったり、花によっては挿しにくかったり、また茎の切り口がつぶれ、挿し直しがしにくかったり、あるいは傷んだりする場合があるため、初心者が華道を習う時、苦になる一つの要素となっている。
【０００９】
また、七宝では、花材を茎より大きい穴に挿す場合はそのままでは傾くので安定して留めるために支えなどの工夫が必要であるため、剣山と同様に初心者は花材を容易に留めることができないという欠点がある。
【００１０】
また、穴を形成した素焼きは、穴の大きさによっては茎を固定する手だてが必要であり、さらに穴の位置が決まっているため、花材を思い通りに配置できない場合がある。また、素焼きであるために軽いので、バランスが崩れて花材が転倒するおそれがある。
【００１１】
また、発泡体組成物の立方体からなる花留は軽いために、風や振動によりバランスが崩れて花材が転倒するおそれがある。
【００１２】
そこで、本考案は、花材を容易に挿して留めることができるとともに、倒れにくく安定した状態に維持することができる花留を提供するものである。
【課題を解決するための手段】
【００１３】
本考案の花留は、垂直に中空部が形成された重錘と、前記中空部内に装填された、花材を留める吸水性スポンジとからなり、前記重錘に前記中空部の底部に給水する通水路が形成されていることを特徴とする。
【００１４】
本考案の花留は、中空部が垂直に貫通して形成され、重錘の底部に重錘の外側面から前記中空部の底部に連通する横方向の溝により通水路が形成される構成、重錘を貫通することなく重錘内に底部が位置する中空部が垂直に形成され、重錘の外側面から中空部の底部に連通する横方向の孔により通水路が形成される構成、あるいは、重錘の外周に貯水部が一体に形成され、前記貯水部が前記中空部の底部に連通する横方向の溝あるいは孔により通水路が形成される構成とすることができる。
【考案の効果】
【００１５】
本考案は柔らかくて、軽い吸水性スポンジを金属あるいは石、ガラス等の筒状の重錘の中空部に装填し、底部に水盤等の水を給水スポンジに吸収できるように通水路を形成しているので、活け花がより楽に挿しやすくなり、また重錘に囲まれているので倒れにくくなり、また、水の吸収により花材を長持ちさせることができる。
【００１６】
本考案の花留は、水盤での活け花だけでなく、重錘のデザインや素材を工夫すれば、ガラス等の透明な容器でこの新しい花留を活け花の一部として見せる装飾にもなる。
【考案を実施するための最良の形態】
【００１７】
以下、図面に基づき本考案の実施例を説明する。
【実施例１】
【００１８】
図１（ａ）は本考案による花留の第１実施例を示す斜視図、（ｂ）は縦断面図である。
【００１９】
本考案は中空部２が形成された重錘１と、中空部２に装填された吸水性スポンジ３からなる。重錘１は、中央に縦方向に貫通した中空部２が形成される。重錘１は、錘として機能するように、金属製の剣山と同様に鉄や銅などの金属や、また、金属以外に重量のある大理石などの石、陶器あるいはガラスなどを使用してもよい。重錘１の重さは、用途に応じて厚みや高さを変えて調整する。
【００２０】
重錘の形状は、特に限定されるものではなく、横断面が円周、四角形、その他の形にデザインすることができる。
【００２１】
重錘１には、吸水性スポンジ３に水盤６からの水を給水させるために通水路を形成する。本実施例では、重錘１の底部に中空部２に連通する溝を設けて通水路を形成する。通水路４ａを通った水が吸水性スポンジ３に吸収されて花を長持ちさせることができる。図１（ａ）では、断面アーチ形の通水路４ａを円周方向に等間隔に形成している。
【００２２】
吸水性スポンジ３、例えばオアシス（商品名）は、軟らかくて花材５を挿しやすいが、崩れやすく、また軽いため倒れやすいという問題点がある。この問題点を解決するために、本考案は吸水性スポンジ３を重錘１の中空部２に装填して保持している。吸水性スポンジ３を重錘１の中空部２に装填することにより、吸水性スポンジ３は花材５を挿しても吸水性スポンジ３の周囲が中空部２内で拘束されているので、崩れることがない。また、吸水性スポンジ３は重錘１の中空部２に保持されているので、花材５を挿しても重錘１の錘の作用により倒れるのを防止することができる。
【実施例２】
【００２３】
図２（ａ）は本考案による花留の第２実施例を示す斜視図、（ｂ）は縦断面図である。
【００２４】
本実施例は、花留を入れる容器内の水に花留の表面から上に出た茎が浸からないようにした花留の例を示すものである。重錘１の高さを容器７の水面から出るように高めにする。重錘１には、吸水性スポンジ３に水を給水させるために、重錘１の中空部２は貫通させることなく底部を重錘内に位置させ、中空部２の底部に連通する孔４ｂにより通水路を形成する。通水路を通った水が吸水性スポンジ３に吸収されて花を長持ちさせることができる。重錘１の下部の形状を大きくして重くすることにより、大きい花材を転倒させることなく挿すことも出いる。
【００２５】
本実施例の花留は丈があるので、水面が比較的高くなる水槽７などの容器に入れ、さらにメダカ、金魚などの魚８を入れて花とともに楽しむことができる。また、重錘１の下部の形状を大きくして重くすることにより、大きい花材を転倒させることなく挿すこともできる。
【００２６】
なお、給水性スポンジ３の上部を小鉢が載せられるように凹ませ、その上に吸水性のある培地を入れた小鉢植物を置くことにより各種の植物を観賞することも可能である。
【実施例３】
【００２７】
図３（ａ）は本考案による花留の第３実施例を示す斜視図、（ｂ）は縦断面図である。
【００２８】
本実施例は、水が入れられない花器に利用したり、花台やテーブルなどに直接置いたりして利用できる花留である。
【００２９】
図３において、実施例１や２と同様に、重錘１の中空部２に吸水性スポンジ３が装填される。重錘１には吸水性スポンジ３に水を給水させるための貯水部９が一体に形成される。中空部２の底部は貯水部９と通水路４ａで連通し、貯水部９の水が中空部２の吸水性スポンジ３へ給水される。
【００３０】
本実施例では、創作の上で水を入れることができない花器を利用する場合やテーブルなどに容器を用いることなく花を留める場合に利用することができ、貯水部９から通水路４ａを通った水が吸水性スポンジ３に吸収されて花を長持ちさせることができる。
【図面の簡単な説明】
【００３１】
【図１】（ａ）は本考案による花留の第１実施例を示す斜視図、（ｂ）は縦断面図である。
【図２】（ａ）は本考案による花留の第２実施例を示す斜視図、（ｂ）は縦断面図である。
【図３】（ａ）は本考案による花留の第３実施例を示す斜視図、（ｂ）は縦断面図である。
【図４】従来の各種の花留を示す斜視図である。
【符号の説明】
【００３２】
１：重錘
２：中空部
３：吸水性スポンジ
４ａ：通水路（溝）
４ｂ：通水路（孔）
５：花材
６：水盤
７：容器
８：魚
１０：ベース
１１：針
１２：穴
１３：詰めもの
１４：素焼き
１５：穴
１６：発泡体組成物の立方体
【図１】
0003127173.tif 000003
【図２】
0003127173.tif 000004
【図３】
0003127173.tif 000005
【図４】
0003127173.tif 000006